【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
弾性的に付勢された本体電気接点と、前記本体電気接点を支持する回転可能な電気接点支持部材と、を有する電子写真画像形成装置本体に着脱可能なユニットにおいて、
前記ユニットが前記装置本体に装着された際に、前記本体電気接点と電気的に接続するユニット電気接点と、
前記ユニットが前記装置本体に挿入される際に、前記電気接点支持部材と係合する断面が多角形で軸線方向において回転するようにねじれた凹部を有する係合部であって、前記ユニットが前記装置本体に挿入されるに従って、前記軸線方向と交差する方向に前記電気接点支持部材を回転させ、前記本体電気接点を前記ユニット電気接点に摺動させる係合部と、
を有し、
前記ユニット電気接点は、前記ねじれた凹部の底に設けられたことを特徴とするユニット。
【請求項２】
前記ユニットは、画像を形成するための情報を有するメモリであって、前記ユニット電気接点と電気的に接続するメモリを有することを特徴とする請求項１に記載のユニット。
【請求項３】
前記ユニットが前記装置本体に挿入される際に、前記ねじれた凹部が前記電気接点支持部材を回転させることによって、前記本体電気接点を、前記装置本体に設けられたアースと接続したアース接点と電気的に接続する位置から、前記装置本体に設けられた接続接点であって、前記装置本体に設けられた制御手段と電気的に接続する接続接点と電気的に接続する位置へ移動させることを特徴とする請求項１または２に記載のユニット。
【請求項４】
前記係合部は、前記ユニットが前記装置本体に装着された装着方向において、前記ユニットの先端に設けられていることを特徴とする請求項１に記載のユニット。
【請求項５】
弾性的に付勢された本体電気接点と、前記本体電気接点を支持する回転可能な電気接点支持部材と、を有する電子写真画像形成装置本体に着脱可能なプロセスカートリッジにおいて、
電子写真感光体と、
前記電子写真感光体に作用するプロセス手段と、
前記プロセスカートリッジが前記装置本体に装着された際に、前記本体電気接点と電気的に接続するユニット電気接点と、
前記プロセスカートリッジが前記装置本体に挿入される際に、前記電気接点支持部材と係合する断面が多角形で軸線方向において回転するようにねじれた凹部を有する係合部であって、前記プロセスカートリッジが前記装置本体に挿入されるに従って、前記軸線方向と交差する方向に前記電気接点支持部材を回転させ、前記本体電気接点を前記ユニット電気接点に摺動させる係合部と、
を有し、
前記ユニット電気接点は、前記ねじれた凹部の底に設けられたことを特徴とするプロセスカートリッジ。
【請求項６】
前記プロセスカートリッジは、画像を形成するための情報を有するメモリであって、前記ユニット電気接点と電気的に接続するメモリを有することを特徴とする請求項５に記載のプロセスカートリッジ。
【請求項７】
前記プロセスカートリッジが前記装置本体に挿入される際に、前記凹部が前記電気接点支持部材を回転させることによって、前記本体電気接点を、前記装置本体に設けられたアースと接続したアース接点と電気的に接続する位置から、前記装置本体に設けられた接続接点であって、前記装置本体に設けられた制御手段と電気的に接続する接続接点と電気的に接続する位置へ移動させることを特徴とする請求項５または６に記載のプロセスカートリッジ。
【請求項８】
前記係合部は、前記プロセスカートリッジが前記装置本体に装着された装着方向において、前記プロセスカートリッジの先端に設けられていることを特徴とする請求項５に記載のプロセスカートリッジ。
【請求項９】
ユニットが着脱可能で、記録媒体に画像を形成する電子写真画像形成装置において、
（ｉ）弾性的に付勢された本体電気接点と、
（ii）前記本体電気接点を支持する回転可能な電気接点支持部材と、
（iii）前記ユニットが前記電子写真画像形成装置の装置本体に装着された際に、前記本体電気接点と電気的に接続するユニット電気接点と、前記ユニットが前記装置本体に挿入される際に、前記電気接点支持部材と係合する断面が多角形で軸線方向において回転するようにねじれた凹部を有する係合部であって、前記ユニットが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられた前記ユニットを取り外し可能に装着する装着手段と、
（iv）前記記録媒体を搬送する搬送手段と、
（ｖ）制御手段と、
（vi）アースと接続したアース接点と、
（vii）前記制御手段と電気的に接続する接続接点と、
を有し、
前記本体電気接点は、前記ユニットが前記装置本体に挿入される際に、前記ねじれた凹部が前記電気接点支持部材を回転させることによって、前記アース接点と電気的に接続する位置から、前記接続接点と電気的に接続する位置へ移動することを特徴とする電子写真画像形成装置。
【請求項１０】
前記電気接点支持部材は、前記ねじれた凹部と係合する、断面が多角形の係合部を有することを特徴とする請求項９に記載の電子写真画像形成装置。
【請求項１１】
プロセスカートリッジが着脱可能で、記録媒体に画像を形成する電子写真画像形成装置において、
（ｉ）弾性的に付勢された本体電気接点と、
（ii）前記本体電気接点を支持する回転可能な電気接点支持部材と、
（iii）電子写真感光体と、前記電子写真感光体に作用するプロセス手段と、
前記プロセスカートリッジが前記電子写真画像形成装置の装置本体に装着された際に、前記本体電気接点と電気的に接続するユニット電気接点と、前記プロセスカートリッジが前記装置本体に挿入される際に、前記電気接点支持部材と係合する断面が多角形で軸線方向において回転するようにねじれた凹部を有する係合部であって、前記プロセスカートリッジが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられた前記プロセスカートリッジを取り外し可能に装着する装着手段と、
（iv）前記記録媒体を搬送する搬送手段と、
（v）制御手段と、
（vi）アースと接続したアース接点と、
（vii）前記制御手段と電気的に接続する接続接点と、
を有し、
前記本体電気接点は、前記ユニットが前記装置本体に挿入される際に、前記ねじれた凹部が前記電気接点支持部材を回転させることによって、前記アース接点と電気的に接続する位置から、前記接続接点と電気的に接続する位置へ移動することを特徴とする電子写真画像形成装置。
【請求項１２】
前記電気接点支持部材は、前記ねじれた凹部と係合する、断面が多角形の係合部を有することを特徴とする請求項１１に記載の電子写真画像形成装置。
【請求項１３】
記録媒体に画像を形成する電子写真画像形成装置において、
（ｉ）弾性的に付勢された本体電気接点と、
（ii）前記本体電気接点を支持する回転可能な電気接点支持部材と、
（iii）前記電子写真画像形成装置の装置本体に取り外し可能に装着されたユニットであって、前記本体電気接点と電気的に接続するユニット電気接点と、前記ユニットが前記装置本体に挿入される際に、前記電気接点支持部材と係合する断面が多角形で軸線方向において回転するようにねじれた凹部を有する係合部であって、前記ユニットが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられたユニットと、
（iv）前記記録媒体を搬送する搬送手段と、
を有することを特徴とする電子写真画像形成装置。
【請求項１４】
更に、前記電子写真画像形成装置は、制御手段と、アースと接続したアース接点と、前記制御手段と電気的に接続する接続接点と、を有し、
前記本体電気接点は、前記ユニットが前記装置本体に挿入される際に、前記凹部が前記電気接点支持部材を回転させることによって、前記アース接点と電気的に接続する位置から、前記接続接点と電気的に接続する位置へ移動することを特徴とする請求項１３に記載の電子写真画像形成装置。
【請求項１５】
前記電気接点支持部材は、前記ねじれた凹部と係合する、断面が多角形の係合部を有することを特徴とする請求項１３または１４に記載の電子写真画像形成装置。
【請求項１６】
記録媒体に画像を形成する電子写真画像形成装置において、
（ｉ）弾性的に付勢された本体電気接点と、
（ii）前記本体電気接点を支持する回転可能な電気接点支持部材と、
（iii）前記電子写真画像形成装置の装置本体に取り外し可能に装着されたプロセスカートリッジであって、電子写真感光体と、前記電子写真感光体に作用するプロセス手段と、前記プロセスカートリッジが前記電子写真画像形成装置の装置本体に装着された際に、前記本体電気接点と電気的に接続するユニット電気接点と、前記プロセスカートリッジが前記装置本体に挿入される際に、前記電気接点支持部材と係合する断面が多角形で軸線方向において回転するようにねじれた凹部を有する係合部であって、前記プロセスカートリッジが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられたプロセスカートリッジと、
（iv）前記記録媒体を搬送する搬送手段と、
を有することを特徴とする電子写真画像形成装置。
【請求項１７】
更に、前記電子写真画像形成装置は、制御手段と、アースと接続したアース接点と、前記制御手段と電気的に接続する接続接点と、を有し、
前記本体電気接点は、前記プロセスカートリッジが前記装置本体に挿入される際に、前記凹部が前記電気接点支持部材を回転させることによって、前記アース接点と電気的に接続する位置から、前記接続接点と電気的に接続する位置へ移動することを特徴とする請求項１６に記載の電子写真画像形成装置。
【請求項１８】
前記電気接点支持部材は、前記ねじれた凹部と係合する、断面が多角形の係合部を有することを特徴とする請求項１６または１７に記載の電子写真画像形成装置。
【手続補正２】
【補正対象書類名】明細書
【補正対象項目名】００１２
【補正方法】変更
【補正の内容】
【００１２】
上記目的を達成するための本発明に係るユニットの代表的な構成は、弾性的に付勢された本体電気接点と、前記本体電気接点を支持する回転可能な電気接点支持部材と、を有する電子写真画像形成装置本体に着脱可能なユニットにおいて、前記ユニットが前記装置本体に装着された際に、前記本体電気接点と電気的に接続するユニット電気接点と、前記ユニットが前記装置本体に挿入される際に、前記電気接点支持部材と係合する断面が多角形で軸線方向において回転するようにねじれた凹部を有する係合部であって、前記ユニットが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられたことを特徴とする。
【手続補正３】
【補正対象書類名】明細書
【補正対象項目名】００１３
【補正方法】変更
【補正の内容】
【００１３】
また、上記目的を達成するための本発明に係るプロセスカートリッジの代表的な構成は、弾性的に付勢された本体電気接点と、前記本体電気接点を支持する回転可能な電気接点支持部材と、を有する電子写真画像形成装置本体に着脱可能なプロセスカートリッジにおいて、電子写真感光体と、前記電子写真感光体に作用するプロセス手段と、前記プロセスカートリッジが前記装置本体に装着された際に、前記本体電気接点と電気的に接続するユニット電気接点と、前記プロセスカートリッジが前記装置本体に挿入される際に、前記電気接点支持部材と係合する断面が多角形で軸線方向において回転するようにねじれた凹部を有する係合部であって、前記プロセスカートリッジが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられたことを特徴とする。
【手続補正４】
【補正対象書類名】明細書
【補正対象項目名】００１４
【補正方法】変更
【補正の内容】
【００１４】
また、上記目的を達成するための本発明に係る電子写真画像形成装置の代表的な構成は、ユニットが着脱可能で、記録媒体に画像を形成する電子写真画像形成装置において、（ｉ）弾性的に付勢された本体電気接点と、（ii）前記本体電気接点を支持する回転可能な電気接点支持部材と、（iii）前記ユニットが前記電子写真画像形成装置の装置本体に装着された際に、前記本体電気接点と電気的に接続するユニット電気接点と、前記ユニットが前記装置本体に挿入される際に、前記電気接点支持部材と係合する断面が多角形で軸線方向において回転するようにねじれた凹部を有する係合部であって、前記ユニットが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられた前記ユニットを取り外し可能に装着する装着手段と、（iv）前記記録媒体を搬送する搬送手段と、（ｖ）制御手段と、（vi）アースと接続したアース接点と、（vii）前記制御手段と電気的に接続する接続接点と、を有し、前記本体電気接点は、前記ユニットが前記装置本体に挿入される際に、前記ねじれた凹部が前記電気接点支持部材を回転させることによって、前記アース接点と電気的に接続する位置から、前記接続接点と電気的に接続する位置へ移動することを特徴とする。
【手続補正５】
【補正対象書類名】明細書
【補正対象項目名】００１５
【補正方法】変更
【補正の内容】
【００１５】
また、上記目的を達成するための本発明に係る電子写真画像形成装置の代表的な構成は、プロセスカートリッジが着脱可能で、記録媒体に画像を形成する電子写真画像形成装置において、（ｉ）弾性的に付勢された本体電気接点と、（ii）前記本体電気接点を支持する回転可能な電気接点支持部材と、（iii）電子写真感光体と、前記電子写真感光体に作用するプロセス手段と、前記プロセスカートリッジが前記電子写真画像形成装置の装置本体に装着された際に、前記本体電気接点と電気的に接続するユニット電気接点と、前記プロセスカートリッジが前記装置本体に挿入される際に、前記電気接点支持部材と係合する断面が多角形で軸線方向において回転するようにねじれた凹部を有する係合部であって、前記プロセスカートリッジが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられた前記プロセスカートリッジを取り外し可能に装着する装着手段と、（iv）前記記録媒体を搬送する搬送手段と、（v）制御手段と、（vi）アースと接続したアース接点と、（vii）前記制御手段と電気的に接続する接続接点と、を有し、前記本体電気接点は、前記ユニットが前記装置本体に挿入される際に、前記ねじれた凹部が前記電気接点支持部材を回転させることによって、前記アース接点と電気的に接続する位置から、前記接続接点と電気的に接続する位置へ移動することを特徴とする。
また、上記目的を達成するための本発明に係る電子写真画像形成装置の代表的な構成は、記録媒体に画像を形成する電子写真画像形成装置において、（ｉ）弾性的に付勢された本体電気接点と、（ii）前記本体電気接点を支持する回転可能な電気接点支持部材と、（iii）前記電子写真画像形成装置の装置本体に取り外し可能に装着されたユニットであって、前記本体電気接点と電気的に接続するユニット電気接点と、前記ユニットが前記装置本体に挿入される際に、前記電気接点支持部材と係合する断面が多角形で軸線方向において回転するようにねじれた凹部を有する係合部であって、前記ユニットが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられたユニットと、（iv）前記記録媒体を搬送する搬送手段と、を有することを特徴とする。
また、上記目的を達成するための本発明に係る電子写真画像形成装置の代表的な構成は、記録媒体に画像を形成する電子写真画像形成装置において、（ｉ）弾性的に付勢された本体電気接点と、（ii）前記本体電気接点を支持する回転可能な電気接点支持部材と、（iii）前記電子写真画像形成装置の装置本体に取り外し可能に装着されたプロセスカートリッジであって、電子写真感光体と、前記電子写真感光体に作用するプロセス手段と、前記プロセスカートリッジが前記電子写真画像形成装置の装置本体に装着された際に、前記本体電気接点と電気的に接続するユニット電気接点と、前記プロセスカートリッジが前記装置本体に挿入される際に、前記電気接点支持部材と係合する断面が多角形で軸線方向において回転するようにねじれた凹部を有する係合部であって、前記プロセスカートリッジが前記装置本体に挿入されるに従って、前記軸線方向と交差する方向に前記電気接点支持部材を回転させ、前記本体電気接点を前記ユニット電気接点に摺動させる係合部と、を有し、前記ユニット電気接点は、前記ねじれた凹部の底に設けられたプロセスカートリッジと、（iv）前記記録媒体を搬送する搬送手段と、を有することを特徴とする。
【手続補正６】
【補正対象書類名】明細書
【補正対象項目名】００１６
【補正方法】変更
【補正の内容】
【００１６】
上記の本発明によれば、ねじれた凹部の底部にユニット電気接点を有する構造により、ユニット電気接点に指が触れにくくなり、ユニット電気接点の汚れを防止できる。したがって、電子写真画像形成装置本体にユニット（プロセスカートリッジ）を装着した際に、前記電子写真画像形成装置本体が有する本体電気接点と、前記ユニット（プロセスカートリッジ）が有するユニット電気接点との電気接続の信頼性を向上させることができる。
【手続補正７】
【補正対象書類名】明細書
【補正対象項目名】００１７
【補正方法】変更
【補正の内容】
【００１７】
また、ユニット電気接点またはカートリッジ電気接点が本体電気接点と摺動することによって、異物除去をおこなうことができる。
【手続補正８】
【補正対象書類名】明細書
【補正対象項目名】００７７
【補正方法】変更
【補正の内容】
【００７７】
カートリッジ７には具備させたメモリ９４と電気的に接続されたユニット電気接点１０１ａ、１０１ｂが設けられている。メモリ９４は係合部１０２の奥側の面に配置されている。そしてメモリ９４は、両面テープやホットメルト、接着剤、熱カシメなどで固定されている。
係合部１０２の内側には、捩れた、断面が多角形の穴１０２ａ、即ち、断面が多角形で軸線方向において回転するようにねじれた凹部１０２ａが設けられている。本実施例においては、断面が長方形の捩れた穴である。
【手続補正９】
【補正対象書類名】明細書
【補正対象項目名】００７９
【補正方法】変更
【補正の内容】
【００７９】
また中間板９３には、前記ユニット電気接点１０１ａ、１０１ｂと電気的に接続する、後記のように弾性的に付勢された本体電気接点１０３、１０４を支持する回転可能な支持部材１０５が設けられている。支持部材１０５は支持部材１０５を支持する基板１０６に対して回転中心軸（不図示）を中心に回転可能に取り付けられている。そして、基板１０６には前記本体電気接点１０３、１０４とそれぞれ電気的に接続される、装置本体１００に設けられたアースと接続したアース接点１０７、１０８が設けられている。又、基板１０６には、装置本体に設けられた制御回路の接続接点１０９、１１０、本実施例では読み出しと書き込みを行う後述するＲ／Ｗ回路１１１（図１８）と接続した接続接点１０９、１１０の、４接点（１０７、１０８、１０９、１１０）が設けられている。